(57)【特許請求の範囲】
【請求項１】
筒部が形成されたパネルと、
前記筒部にスライド可能に設置されてスイッチを動作させる押しボタンと、
前記筒部または前記押しボタンの一方に形成された、前記押しボタンのスライド方向にのびる溝と、
前記筒部または前記押しボタンのもう一方に形成された、前記溝内をスライド可能なリブとを備え、
前記押しボタンの無操作時に前記リブの端部に当接する前記溝の端部は、Ｖ字形状であり、当該Ｖ字形状の２辺が前記リブの端部に当接し、
前記リブは、前記押しボタンのスライド距離より長く、
前記溝のＶ字形状の端部は、底面が当該Ｖ字形状の先端に向かうにつれて浅くなる傾斜形状であり、
前記押しボタンの無操作時に前記溝のＶ字形状の端部に当接する前記リブの端部は、前記溝の傾斜形状の底面および前記Ｖ字形状の２辺に当接する形状であることを特徴とするプッシュ式ボタン構造。
【請求項２】
請求項１記載のプッシュ式ボタン構造を備える電子機器。
【発明の詳細な説明】
【技術分野】
【０００１】
この発明は、プッシュ式ボタン構造、およびプッシュ式ボタン構造を備える電子機器に関するものである。
【背景技術】
【０００２】
従来のプッシュ式ボタン構造（例えば、特許文献１参照）は、押しボタンと、押しボタンがスライド可能に挿入される筒部とを備える。筒部の内面には押しボタンのスライド方向にのびる溝が形成され、押しボタンの外面には溝内をスライド可能なリブが形成される。押しボタンの操作時にリブが溝内をスムーズにスライドできるように、リブの幅は溝の幅より狭く設定されている。しかし、リブの幅が溝の幅より狭く設定されていることにより、押しボタンの無操作時に、押しボタンが筒部に対して左右方向および上下方向にがたつき、振動音等の異音が発生する場合があった。【０００３】
このがたつきを抑えるためにリブの幅と溝の幅とを同じにすると、押しボタンがスムーズにスライドできず操作性が損なわれるという問題があった。また、リブの幅と溝の幅を、がたつきが発生しない適切な寸法に設定することも考えられるが、押しボタンと筒部の成形精度の誤差および成形後の歪みが発生することにより、押しボタン無操作時のがたつきを根本的に抑制できなかった。【０００４】
特許文献１に係るボタン案内構造では、案内溝において押しボタンの無操作時に突起が位置する部分に、この突起を保持する略Ｖ字状の突起保持溝が形成される。無操作時に突起が突起保持溝で保持されて、押しボタンのがたつきが防止される。
【先行技術文献】
【特許文献】
【０００５】
【特許文献１】特開２００５−２０９５０４号公報
【発明の概要】
【発明が解決しようとする課題】
【０００６】
しかしながら、特許文献１に係るボタン案内構造では、押しボタンのスライド距離に比べて突起の長さが短い。そのため、溝内の突起は押しボタンのスライド方向から傾きやすく、操作時に押しボタンががたつくという課題があった。【０００７】
この発明は、上記のような課題を解決するためになされたもので、押しボタンの無操作時および操作時のがたつきを防止することを目的とする。
【課題を解決するための手段】
【０００８】
この発明に係るプッシュ式ボタン構造は、筒部が形成されたパネルと、筒部にスライド可能に設置されてスイッチを動作させる押しボタンと、筒部または押しボタンの一方に形成された、押しボタンのスライド方向にのびる溝と、筒部または押しボタンのもう一方に形成された、溝内をスライド可能なリブとを備え、押しボタンの無操作時にリブの端部に当接する溝の端部は、Ｖ字形状であり、当該Ｖ字形状の２辺がリブの端部に当接し、リブは、押しボタンのスライド距離より長く、溝のＶ字形状の端部は、底面が当該Ｖ字形状の先端に向かうにつれて浅くなる傾斜形状であり、押しボタンの無操作時に溝のＶ字形状の端部に当接するリブの端部は、溝の傾斜形状の底面および前記Ｖ字形状の２辺に当接する形状であるものである。
【発明の効果】
【０００９】
この発明によれば、溝のＶ字形状の端部にリブの端部が当接して位置決めされるようにしたので、押しボタンの無操作時のがたつきを防止できる。また、リブを押しボタンのスライド距離より長くしたので、従来に比べて、溝内のリブは押しボタンのスライド方向から傾きにくくなり、押しボタンの操作時のがたつきを防止できる。
【図面の簡単な説明】
【００１０】
【図１】実施の形態１に係るプッシュ式ボタン構造を備える電子機器の分解斜視図である。
【図２】実施の形態１に係るプッシュ式ボタン構造を斜め前方からみた状態を示す外観斜視図である。
【図３】実施の形態１に係るプッシュ式ボタン構造を斜め前方からみた状態を示す分解斜視図である。
【図４】実施の形態１に係るプッシュ式ボタン構造を斜め後方からみた状態を示す外観斜視図である。
【図５】実施の形態１に係るプッシュ式ボタン構造を斜め後方からみた状態を示す分解斜視図である。
【図６】実施の形態１に係るプッシュ式ボタン構造を図２のＡ−Ａ線に沿って切断した断面図であり、押しボタンをフロントパネルに取り付ける前の状態を示す。
【図７】実施の形態１に係るプッシュ式ボタン構造を図２のＡ−Ａ線に沿って切断した断面図であり、溝とリブを拡大して示す。
【図８】実施の形態１に係るプッシュ式ボタン構造を図２のＡ−Ａ線に沿って切断した断面図であり、図８Ａは押しボタンの操作時、図８Ｂは無操作時の状態を示す。
【図９】図９Ａ、図９Ｂおよび図９Ｃは、実施の形態１に係るプッシュ式ボタン構造の溝とリブの変形例を示す図である。
【図１０】実施の形態２に係るプッシュ式ボタン構造を斜め前方からみた状態を示す分解斜視図である。
【図１１】実施の形態２に係るプッシュ式ボタン構造を図１０のＢ−Ｂ線に沿って切断した断面図であり、押しボタンをフロントパネルに取り付ける前の状態を示す。
【図１２】実施の形態２に係るプッシュ式ボタン構造を図１０のＣ−Ｃ線に沿って切断した断面図であり、溝とリブを拡大して示す。
【図１３】実施の形態３に係るプッシュ式ボタン構造のフロントパネルを図２のＤ−Ｄ線に沿って切断した断面図であり、リブを拡大して示す。
【図１４】実施の形態３に係るプッシュ式ボタン構造の押しボタンを図２のＤ−Ｄ線に沿って切断した断面図であり、溝を拡大して示す。
【図１５】実施の形態３に係るプッシュ式ボタン構造を図２のＡ−Ａ線に沿って切断した断面図であり、溝とリブを拡大して示す。
【図１６】実施の形態３に係るプッシュ式ボタン構造を図２のＥ−Ｅ線に沿って切断した断面図であり、溝とリブを拡大して示す。
【発明を実施するための形態】
【００１１】
以下、この発明をより詳細に説明するために、この発明を実施するための形態について、添付の図面に従って説明する。
実施の形態１．
図１は、実施の形態１に係るプッシュ式ボタン構造を備える電子機器１０の分解斜視図である。電子機器１０は、樹脂製のフロントパネル１１と、樹脂製の押しボタン２３と、回路基板１３と、スイッチ２５とを備える。フロントパネル１１は、電子機器１０の意匠面である前面を構成する。押しボタン２３は、フロントパネル１１に対して、前後方向にスライド可能に取り付けられる。回路基板１３は、フロントパネル１１および押しボタン２３の後部に取り付けられる。スイッチ２５は、回路基板１３に実装される。以降、電子機器１０の前方向をＸ軸正方向、後ろ方向をＸ軸負方向、右方向をＹ軸正方向、左方向をＹ軸負方向、上方向をＺ軸正方向、および下方向をＺ軸負方向とする。
【００１２】
フロントパネル１１の前壁１１ｊに形成された開口部１１ａに、押しボタン２３のボタン本体部２３ａが露出する。このボタン本体部２３ａがＸ軸負方向に押されると、押しボタン２３がＸ軸負方向にスライドしてスイッチ２５の可動接点を固定接点に接触させ、スイッチ２５がオンになる。この結果、回路基板１３に設けられた不図示の回路が閉じた状態となって通電し、電子機器１０の機能が実行される。
【００１３】
図２は、実施の形態１に係るプッシュ式ボタン構造を斜め前方からみた状態を示す外観斜視図である。図３は、実施の形態１に係るプッシュ式ボタン構造を斜め前方からみた状態を示す分解斜視図である。
プッシュ式ボタン構造は、フロントパネル１１および押しボタン２３で構成される。
【００１４】
フロントパネル１１は、略平板状の前壁１１ｊと、前壁１１ｊに開けられた開口部１１ａと、前壁１１ｊからＸ軸負方向にのびる筒部１１ｂとを備える。
【００１５】
押しボタン２３は、指等で押される操作部となるボタン本体部２３ａと、Ｘ軸方向からみた場合の外形がボタン本体部２３ａより大きくガイド機能を持つ外筒部２３ｂとを備える。加飾の違いなどから、ボタン本体部２３ａと外筒部２３ｂを別部品として構成し、組み付けて一体化することによって押しボタン２３にしてもよい。押しボタン２３のボタン本体部２３ａおよび外筒部２３ｂは、フロントパネル１１の後方から開口部１１ａおよび筒部１１ｂへＸ軸正方向に挿入される。外筒部２３ｂは、開口部１１ａの縁に引っかかって押しボタン２３の抜け止めとしても機能する。
【００１６】
押しボタン２３の外筒部２３ｂは、上壁２３ｈ、下壁２３ｊ、および側壁２３ｍ，２３ｎを備える。上壁２３ｈ、下壁２３ｊ、および側壁２３ｍ，２３ｎの外側の面を外面２３ｗと呼ぶ。上壁２３ｈの外面２３ｗには、前縁部からＸ軸負方向にのびる、つまり押しボタン２３のスライド方向にのびる溝２３ｋが形成される。同様に、下壁２３ｊおよび側壁２３ｍ，２３ｎの外面２３ｗにも溝２３ｋが形成される。
【００１７】
図４は、実施の形態１に係るプッシュ式ボタン構造を斜め後方からみた状態を示す外観斜視図である。図５は、実施の形態１に係るプッシュ式ボタン構造を斜め後方からみた状態を示す分解斜視図である。
【００１８】
フロントパネル１１の筒部１１ｂは、上壁１１ｄ、下壁１１ｅ、および側壁１１ｆ，１１ｇを備える。上壁１１ｄ、下壁１１ｅ、および側壁１１ｆ，１１ｇの内側の面を内面１１ｗと呼ぶ。上壁１１ｄの内面１１ｗには、前壁１１ｊからＸ軸負方向にのびる、つまり押しボタン２３のスライド方向にのびるリブ１１ｋが形成される。同様に、下壁１１ｅおよび側壁１１ｆ，１１ｇの内面１１ｗにもリブ１１ｋが形成される。上壁１１ｄのリブ１１ｋは、上壁２３ｈの溝２３ｋに係合し、この溝２３ｋ内をＸ軸方向にスライドする。同様に、下壁１１ｅおよび側壁１１ｆ，１１ｇの各リブ１１ｋは、下壁２３ｊおよび側壁２３ｍ，２３ｎの各溝２３ｋに係合し、各溝２３ｋ内をＸ軸方向にスライドする。
【００１９】
ボタン本体部２３ａの裏面には、外筒部２３ｂ側に突出するスイッチ当接部２３ｔが形成される。スイッチ当接部２３ｔは、押しボタン２３がＸ軸負方向に押されたときにスイッチ２５の可動接点を固定接点側へ押す。
【００２０】
図６は、実施の形態１に係るプッシュ式ボタン構造を図２のＡ−Ａ線に沿って切断した断面図であり、押しボタン２３をフロントパネル１１に取り付ける前の状態を示す。上壁１１ｄのリブ１１ｋは、図６のように、筒部１１ｂの左右幅の中央部に配置される。図６では隠れて見えないが、下壁１１ｅのリブ１１ｋも、筒部１１ｂの左右幅の中央部に配置される。側壁１１ｆ，１１ｇの各リブ１１ｋは、筒部１１ｂの上下幅の中央部に配置される。リブ１１ｋの幅Ｗ１より溝２３ｋの幅Ｗ２のほうが大きいため、リブ１１ｋと溝２３ｋとの間には隙間が形成され、リブ１１ｋが溝２３ｋ内をスムーズにスライド可能である。
【００２１】
図７は、実施の形態１に係るプッシュ式ボタン構造を図２のＡ−Ａ線に沿って切断した断面図であり、溝２３ｋとリブ１１ｋを拡大して示す。この図７は、押しボタン２３の無操作時の状態を示す。
【００２２】
押しボタン２３の無操作時にリブ１１ｋの端部に当接する溝２３ｋの端部は、斜面２３ｐ，２３ｑからなるＶ字形状である。また、押しボタン２３の無操作時に溝２３ｋの端部に当接するリブ１１ｋの端部は、斜面１１ｐ，１１ｑからなるＶ字形状である。押しボタン２３の無操作時、リブ１１ｋ先端の斜面１１ｐ，１１ｑに溝２３ｋ先端の斜面２３ｐ，２３ｑが当接することによって、押しボタン２３が位置決めされ、がたつかない。より詳しくは、上壁１１ｄのリブ１１ｋの斜面１１ｐ，１１ｑと上壁２３ｈの溝２３ｋの斜面２３ｐ，２３ｑが当接するとともに、下壁１１ｅのリブ１１ｋの斜面１１ｐ，１１ｑと下壁２３ｊの溝２３ｋの斜面２３ｐ，２３ｑが当接することにより、押しボタン２３がＸ軸方向およびＹ軸方向に位置決めされる。また、側壁１１ｆのリブ１１ｋの斜面１１ｐ，１１ｑと側壁２３ｍの溝２３ｋの斜面２３ｐ，２３ｑが当接するとともに、側壁１１ｇのリブ１１ｋの斜面１１ｐ，１１ｑと側壁２３ｎの溝２３ｋの斜面２３ｐが当接することにより、押しボタン２３がＸ軸方向およびＺ軸方向に位置決めされる。
【００２３】
もし、リブ１１ｋの端部および溝２３ｋの端部がＶ字形状ではなく平面形状になっている場合、リブ１１ｋの幅Ｗ１および溝２３ｋの幅Ｗ２を調整することによりがたつきを抑えることが考えられる。しかしながら、Ｖ字形状の寸法調整に比べて、幅Ｗ１，Ｗ２の調整のほうが困難である。よって、リブ１１ｋの端部および溝２３ｋの端部をＶ字形状とすることで寸法管理が容易となり、製造コストの削減につながる。
【００２４】
図８Ａおよび図８Ｂは、実施の形態１に係るプッシュ式ボタン構造を図２のＡ−Ａ線に沿って切断した断面図である。図８Ａは押しボタン２３の操作時の状態を示し、図８Ｂは押しボタン２３の無操作時の状態を示す。
筒部１１ｂの内面１１ｗと外筒部２３ｂの外面２３ｗとの間には隙間が形成され、押しボタン２３がスムーズにスライド可能である。
【００２５】
押しボタン２３のボタン本体部２３ａが押されると、押しボタン２３がスライド距離Ｌ１だけＸ軸負方向にスライドし、図８Ａに示される状態になる。この状態において、押しボタン２３のスイッチ当接部２３ｔは、不図示のスイッチ２５の可動接点を固定接点に接触させる。押しボタン２３を押す力がなくなると、押しボタン２３は、スイッチ２５の可動接点の弾性力を受けてＸ軸正方向にスライドする。この結果、図８Ｂに示されるように、溝２３ｋの斜面２３ｐ，２３ｑがリブ１１ｋの斜面１１ｐ，１１ｑに当接する。
【００２６】
リブ１１ｋの長さＬ２は、押しボタン２３のスライド距離Ｌ１より長い。そのため、溝２３ｋ内のリブ１１ｋはスライド方向から傾きにくい。したがって、押しボタン２３の操作時、押しボタン２３のがたつきは小さい。これに対し、先立って説明した特許文献１に係るボタン案内構造は、突起の長さがスライド距離より短いため、突起がスライド方向から傾きやすく、押しボタンのがたつきも大きい。
【００２７】
なお、リブ１１ｋの端部形状は、溝２３ｋの斜面２３ｐ，２３ｑのそれぞれに当接する形状であればどのような形状であってもよい。図９Ａ、図９Ｂおよび図９Ｃは、実施の形態１に係るプッシュ式ボタン構造の溝２３ｋとリブ１１ｋの変形例を示す図である。
例えば、図９Ａのように、リブ１１ｋの先端に丸み部１１ｒを設けてもよい。また、例えば、図９Ｂのように、リブ１１ｋの端部を多角形状部１１ｓまたは半円形にし、２点の接触点３０ｐ，３０ｑにおいてリブ１１ｋの多角形状部１１ｓと溝２３ｋの斜面２３ｐ，２３ｑが当接する構成でもよい。また、例えば、図９Ｃのように、斜面１１ｐ，１１ｑおよび斜面２３ｐ，２３ｑの傾斜方向が逆向きになった構成でもよい。
【００２８】
以上のように、実施の形態１に係るプッシュ式ボタン構造は、筒部１１ｂが形成されたフロントパネル１１と、筒部１１ｂにスライド可能に設置されてスイッチ２５を動作させる押しボタン２３と、押しボタン２３に形成されたスライド方向にのびる溝２３ｋと、筒部１１ｂに形成されて溝２３ｋ内をスライド可能なリブ１１ｋとを備える。押しボタン２３の無操作時にリブ１１ｋの端部に当接する溝２３ｋの端部は、Ｖ字形状であり、当該Ｖ字形状の斜面２３ｐ，２３ｑがリブ１１ｋの端部に当接する。これにより、溝２３ｋのＶ字形状の端部にリブ１１ｋの端部が当接して位置決めされるので、押しボタン２３の無操作時のがたつきを防止できる。また、リブ１１ｋの長さＬ２を、押しボタン２３のスライド距離Ｌ１より長くしたので、従来に比べて、溝２３ｋ内のリブ１１ｋは押しボタン２３のスライド方向から傾きにくくなり、押しボタン２３の操作時のがたつきを防止できる。
【００２９】
実施の形態２．
実施の形態１では、フロントパネル１１の筒部１１ｂにリブ１１ｋが形成され、押しボタン２３に溝２３ｋが形成されていた。これに対し、実施の形態２では、フロントパネル１１の筒部１１ｂに溝２３ｋが形成され、押しボタン２３にリブ１１ｋが形成される。
【００３０】
図１０は、実施の形態２に係るプッシュ式ボタン構造を斜め前方からみた状態を示す分解斜視図である。図１１は、実施の形態２に係るプッシュ式ボタン構造を図１０のＢ−Ｂ線に沿って切断した断面図であり、押しボタン２３をフロントパネル１１に取り付ける前の状態を示す。図１２は、実施の形態２に係るプッシュ式ボタン構造を図１０のＣ−Ｃ線に沿って切断した断面図であり、溝２３ｋとリブ１１ｋを拡大して示す。この図１２は、押しボタン２３の無操作時の状態を示す。図１０〜図１２において、実施の形態１の図１〜図９と同一または相当する部分は、同一の符号を付し説明を省略する。
【００３１】
フロントパネル１１の筒部１１ｂにおいて、上壁１１ｄの内面１１ｗには、後縁部からＸ軸正方向にのびる、つまり押しボタン２３のスライド方向にのびる溝２３ｋが形成される。同様に、下壁１１ｅおよび側壁１１ｆ，１１ｇの内面１１ｗにも溝２３ｋが形成される。
【００３２】
押しボタン２３の外筒部２３ｂにおいて、上壁２３ｈの外面２３ｗには、後縁部からＸ軸正方向にのびる、つまり押しボタン２３のスライド方向にのびるリブ１１ｋが形成される。同様に、下壁２３ｊおよび側壁２３ｍ，２３ｎの外面２３ｗにもリブ１１ｋが形成される。実施の形態１と同様に、リブ１１ｋの幅より溝２３ｋの幅を大きくすることによって、リブ１１ｋが溝２３ｋ内をスムーズにスライド可能である。また、リブ１１ｋの長さを、押しボタン２３のスライド距離よりも長くすることによって、押しボタン２３の操作時のがたつきを抑制する。
【００３３】
押しボタン２３の無操作時にリブ１１ｋの端部に当接する溝２３ｋの端部は、斜面２３ｐ，２３ｑからなるＶ字形状である。また、押しボタン２３の無操作時に溝２３ｋの端部に当接するリブ１１ｋの端部は、斜面１１ｐ，１１ｑからなるＶ字形状である。実施の形態１と同様、押しボタン２３の無操作時、リブ１１ｋ先端の斜面１１ｐ，１１ｑに溝２３ｋ先端の斜面２３ｐ，２３ｑが当接することによって、押しボタン２３が位置決めされ、がたつかない。
【００３４】
なお、実施の形態１で説明したように、リブ１１ｋの端部形状は、溝２３ｋの斜面２３ｐ，２３ｑのそれぞれに当接する形状であればどのような形状であってもよい。
【００３５】
実施の形態３．
実施の形態３では、実施の形態１で説明した溝２３ｋのＶ字形状の端部の底面が、当該Ｖ字形状の先端に向かうにつれて浅くなる傾斜形状になった構成例を説明する。
【００３６】
図１３は、実施の形態３に係るプッシュ式ボタン構造のフロントパネル１１を図２のＤ−Ｄ線に沿って切断した断面図であり、リブ１１ｋを拡大して示す。図１４は、実施の形態３に係るプッシュ式ボタン構造の押しボタン２３を図２のＤ−Ｄ線に沿って切断した断面図であり、溝２３ｋを拡大して示す。図１５は、実施の形態３に係るプッシュ式ボタン構造を図２のＡ−Ａ線に沿って切断した断面図であり、溝２３ｋとリブ１１ｋを拡大して示す。図１６は、実施の形態３に係るプッシュ式ボタン構造を図２のＥ−Ｅ線に沿って切断した断面図であり、溝２３ｋとリブ１１ｋを拡大して示す。図１５および図１６は、押しボタン２３の無操作時の状態を示す。図１３〜図１６において、実施の形態１の図１〜図９と同一または相当する部分は、同一の符号を付し説明を省略する。
【００３７】
図１３のように、下壁１１ｅの内面１１ｗに形成されたリブ１１ｋの端部には、略１／４球の球形状部１１ｕが形成される。同様に、上壁１１ｄおよび側壁１１ｆ，１１ｇの内面１１ｗに形成されたリブ１１ｋの端部にも、略１／４球の球形状部１１ｕが形成される。図１４のように、上壁２３ｈの外面２３ｗに形成された溝２３ｋの端部は、斜面２３ｐ，２３ｑからなるＶ字形状であり、この端部の底面は、当該Ｖ字形状の先端に向かうにつれて浅くなる傾斜底面２３ｕを有する。
【００３８】
図１５のように、押しボタン２３の無操作時、リブ１１ｋ先端の球形状部１１ｕは、２点の接触点３０ｐ，３０ｑにおいて溝２３ｋ先端の斜面２３ｐ，２３ｑに当接する。また、図１６のように、押しボタン２３の無操作時、リブ１１ｋ先端の球形状部１１ｕは、１点の接触点３０ｕにおいて溝２３ｋ先端の傾斜底面２３ｕに当接する。したがって、リブ１１ｋの端部と溝２３ｋの端部とは、３点の接触点３０ｐ，３０ｑ，３０ｕにおいて当接する。実施の形態３のように３点で当接することにより、実施の形態１のように２点で当接する場合に比べて位置決めの精度が向上し、がたつきをさらに防止できる。より詳しくは、上壁１１ｄのリブ１１ｋの端部と上壁２３ｈの溝２３ｋの端部が３点で当接するとともに、下壁１１ｅのリブ１１ｋの端部と下壁２３ｊの溝２３ｋの端部が３点で当接することにより、押しボタン２３がＸ軸方向、Ｙ軸方向およびＺ軸方向に位置決めされる。また、側壁１１ｆのリブ１１ｋの端部と側壁２３ｍの溝２３ｋの端部が当接するとともに、側壁１１ｇのリブ１１ｋの端部と側壁２３ｎの溝２３ｋの端部が当接することにより、押しボタン２３がＸ軸方向、Ｙ軸方向およびＺ軸方向に位置決めされる。
【００３９】
なお、上壁１１ｄのリブ１１ｋの端部と上壁２３ｈの溝２３ｋの端部が３点で当接するとともに、下壁１１ｅのリブ１１ｋの端部と下壁２３ｊの溝２３ｋの端部が３点で当接することにより、押しボタン２３がＸ軸方向、Ｙ軸方向およびＺ軸方向に位置決めされるため、側壁１１ｆ，１１ｇの各リブ１１ｋおよび側壁２３ｍ，２３ｎの各溝２３ｋを不要とすることが可能である。
あるいは、側壁１１ｆのリブ１１ｋの端部と側壁２３ｍの溝２３ｋの端部が当接するとともに、側壁１１ｇのリブ１１ｋの端部と側壁２３ｎの溝２３ｋの端部が当接することにより、押しボタン２３がＸ軸方向、Ｙ軸方向およびＺ軸方向に位置決めされるため、上壁１１ｄと下壁１１ｅの各リブ１１ｋおよび上壁２３ｈと下壁２３ｊの各溝２３ｋを不要とすることが可能である。
【００４０】
図示例では、リブ１１ｋの端部を略１／４球の球形状部１１ｕにしたが、リブ１１ｋの端部はこの形状に限定されるものではなく、溝２３ｋの端部に３点で当接する形状であればどのような形状であってもよい。
【００４１】
以上のように、実施の形態３において、溝２３ｋのＶ字形状の端部は、当該Ｖ字形状の先端に向かうにつれて浅くなる傾斜形状の傾斜底面２３ｕを有する。また、押しボタン２３の無操作時に溝２３ｋのＶ字形状の端部に当接するリブ１１ｋの端部は、溝２３ｋの斜面２３ｐ，２３ｑおよび傾斜底面２３ｕに当接する形状である。これにより、押しボタン２３の無操作時の位置決め精度が向上し、がたつきをさらに防止できる。
【００４２】
実施の形態３では、実施の形態１の溝２３ｋおよびリブ１１ｋに対して傾斜底面２３ｕおよび球形状部１１ｕを適用する例を説明したが、これに限定されるものではなく、実施の形態２の溝２３ｋおよびリブ１１ｋに対して傾斜底面２３ｕおよび球形状部１１ｕを適用してもよい。
【００４３】
なお、本発明はその発明の範囲内において、各実施の形態の自由な組み合わせ、各実施の形態の任意の構成要素の変形、または各実施の形態の任意の構成要素の省略が可能である。
例えば、図示例はいずれも矩形断面の押しボタンにおいて上下左右の四か所、上下の二か所または左右の二か所にリブ１１ｋと溝２３ｋが形成された構成であったが、これらの構成に限定されるものではない。例えば押しボタンが円形断面である場合に、１２０度ずつ離れた三か所または１８０度離れた二か所等にリブ１１ｋと溝２３ｋが形成されてもよい。
【産業上の利用可能性】
【００４４】
この発明に係るプッシュ式ボタン構造は、がたつきを防止するようにしたので、振動する環境で使用される車載用の電子機器などに用いるのに適している。
【符号の説明】
【００４５】
１０  電子機器、１１  フロントパネル、１１ａ  開口部、１１ｂ  筒部、１１ｄ  上壁、１１ｅ  下壁、１１ｆ  側壁、１１ｇ  側壁、１１ｊ  前壁、１１ｋ  リブ、１１ｐ  斜面、１１ｑ  斜面、１１ｒ  丸み部、１１ｓ  多角形状部、１１ｕ  球形状部、１１ｗ  内面、１３  回路基板、２３  押しボタン、２３ａ  ボタン本体部、２３ｂ  外筒部、２３ｈ  上壁、２３ｊ  下壁、２３ｋ  溝、２３ｍ  側壁、２３ｎ  側壁、２３ｐ  斜面、２３ｑ  斜面、２３ｔ  スイッチ当接部、２３ｕ  傾斜底面、２３ｗ  外面、２５  スイッチ、３０ｐ，３０ｑ，３０ｕ  接触点。
【図１】
0006727430.tif 000002
【図２】
0006727430.tif 000003
【図３】
0006727430.tif 000004
【図４】
0006727430.tif 000005
【図５】
0006727430.tif 000006
【図６】
0006727430.tif 000007
【図７】
0006727430.tif 000008
【図８】
0006727430.tif 000009
【図９】
0006727430.tif 000010
【図１０】
0006727430.tif 000011
【図１１】
0006727430.tif 000012
【図１２】
0006727430.tif 000013
【図１３】
0006727430.tif 000014
【図１４】
0006727430.tif 000015
【図１５】
0006727430.tif 000016
【図１６】
0006727430.tif 000017